(57)【要約】【課題】液状体を常に一定の塗付幅で塗付でき、さらに、細部への塗付を手早く的確に行えるようにした液状体塗付具を提供する。【解決手段】液状体塗付具は、液状体を塗付する塗付体３を備えている。塗付体３は軸体５と、液状体を保持する液保持体６を一体に備えたプラスチック成形品からなる。液保持体６は、軸体５の下端に連続する扁平な保持板部１０と、保持板部１０の下端に突設される複数の塗付チップ１２と、隣接する塗付チップ１２の間に形成される液保持用のスリット１３を備えていることを特徴とする。【選択図】図１
2020182736.tif 000002
【特許請求の範囲】
【請求項１】
液状体を塗付する塗付体（３）を備えており、
塗付体（３）は軸体（５）と、液状体を保持する液保持体（６）を一体に備えたプラスチック成形品からなり、
液保持体（６）が、軸体（５）の下端に連続する扁平な保持板部（１０）と、保持板部（１０）の下端に突設される複数の塗付チップ（１２）と、隣接する塗付チップ（１２）の間に形成される液保持用のスリット（１３）とを備えていることを特徴とする液状体塗付具。
【請求項２】
複数の塗付チップ（１２）は、保持板部（１０）と交差する前後方向のスリット（１３）を介して隣接配置されてチップ列（１１）を形成しており、
塗付チップ（１２）は、保持板部（１０）の前外方および後外方へ突出する外形形状に形成されて、前記スリット（１３）の基端部が保持板部（１０）の下縁に臨んでいる請求項１に記載の液状体塗付具。
【請求項３】
チップ列（１１）の片方の端部から見て、各塗付チップ（１２）の外形が同形に設定されて、各塗付チップ（１２）の前端及び後端が同一平面上に位置している請求項２に記載の液状体塗付具。
【請求項４】
液保持体（６）が、保持板部（１０）と正対する側から見て、軸体（５）の側から塗付チップ（１２）の側へ向かって下拡がり状に形成されており、
保持板部（１０）と軸体（５）の間に、他の部位に比べて幅狭の弾性変形部（１４）が設けられている請求項１から３のいずれかひとつに記載の液状体塗付具。
【請求項５】
液保持体（６）の保持板部（１０）の前後厚みが、塗付チップ（１２）の側から軸体（５）の側へ向かって徐々に薄く形成されている請求項１から４のいずれかひとつに記載の液状体塗付具。
【請求項６】
左右両端の塗付チップ（１２）の外側縁を保持板部（１０）の傾斜する左右側縁に連続させて、左右両端の塗付チップ（１２）の先端隅部に鋭角の仕上げ塗付部（１５）が設けられている請求項４に記載の液状体塗付具。
【請求項７】
各塗付チップ（１２）の中心を通るチップ列中心線（Ｐ）が、保持板部（１０）と正対する側から見て、上突湾曲状に形成されている請求項１から６のいずれかひとつに記載の液状体塗付具。
【請求項８】
各塗付チップ（１２）の中心を通るチップ列中心線（Ｐ）が、保持板部（１０）と正対する側から見て、軸体（５）の中心軸線と直交する直線状に形成されており、
チップ列（１１）の下方から見て、各塗付チップ（１２）の中心を通るチップ列中心線（Ｒ）が湾曲状に形成されている請求項１から６のいずれかひとつに記載の液状体塗付具。
【発明の詳細な説明】
【技術分野】
【０００１】
本発明は、マニキュア液を爪の表面に塗付する化粧料塗付具や、液状絆創膏をひび、あかぎれ、傷口などに塗付する薬液塗付具などの液状体塗付具に関する。
【背景技術】
【０００２】
この種の塗付具において、筆部を容器栓と一体に形成することは、例えば特許文献１の塗付具に公知である。特許文献１の塗付具は、化粧料容器の口部に装着される容器栓と一体に形成されており、容器栓の下側に軸部が形成され、軸部の下端に筆部が形成されている。筆部は、細い棒軸状の突棒を直線列状に配置した３列の突棒列で構成されており、各突棒は筆先に向って先すぼまり状に形成されている。
【先行技術文献】
【特許文献】
【０００３】
【特許文献１】特開２００４−１９６３７１号公報
【発明の概要】
【発明が解決しようとする課題】
【０００４】
特許文献１の塗付具によれば、筆部を容器栓と一体に成形するので、ブラシ毛の毛束で形成された筆部に比べて、部材点数を減らし、さらに組立の手間を省略して製造に要するコストを削減できる。しかし、細い棒軸状の突棒を直線列状に配置した３列の突棒列で筆部を形成するので、毛束で形成された筆部と同様に、例えばマニキュア液（液状体）を爪の表面（爪甲）に塗付する際に突棒の先端が拡がって塗付幅が大小に変化する。また、塗付幅が変化するのに伴って、塗付されたマニキュア液に濃淡や筋が生じるなど塗付むらを生じやすい。さらに、突棒および突棒列を弾性変形させながらマニキュア液を塗付するので、とくに爪の周縁などの細部にマニキュア液を的確に塗付するのが難しい。
【０００５】
本発明の目的は、液状体を常に一定の塗付幅で塗付でき、さらに、細部への塗付を手早く的確に行えるようにした液状体塗付具を提供することにある。
【課題を解決するための手段】
【０００６】
本発明に係る液状体塗付具は、液状体を塗付する塗付体３を備えている。塗付体３は軸体５と、液状体を保持する液保持体６を一体に備えたプラスチック成形品からなる。図１に示すように、液保持体６は、軸体５の下端に連続する扁平な保持板部１０と、保持板部１０の下端に突設される複数の塗付チップ１２と、隣接する塗付チップ１２の間に形成される液保持用のスリット１３とを備えていることを特徴とする。
【０００７】
複数の塗付チップ１２は、保持板部１０と交差する前後方向のスリット１３を介して隣接配置されてチップ列１１を形成している。塗付チップ１２は、保持板部１０の前外方および後外方へ突出する外形形状に形成されて、前記スリット１３の基端部が保持板部１０の下縁に臨んでいる。
【０００８】
図３に示すように、チップ列１１の片方の端部から見て、各塗付チップ１２の外形は同形に設定されて、各塗付チップ１２の前端及び後端が同一平面上に位置している。
【０００９】
液保持体６は、保持板部１０と正対する側から見て、軸体５の側から塗付チップ１２の側へ向かって下拡がり状に形成されている。保持板部１０と軸体５の間に、他の部位に比べて幅狭の弾性変形部１４が設けられている。
【００１０】
液保持体６の保持板部１０の前後厚みは、塗付チップ１２の側から軸体５の側へ向かって徐々に薄く形成されている。
【００１１】
左右両端の塗付チップ１２の外側縁を、保持板部１０の傾斜する左右側縁に連続させて、左右両端の塗付チップ１２の先端隅部に鋭角の仕上げ塗付部１５が設けられている。
【００１２】
各塗付チップ１２の中心を通るチップ列中心線Ｐが、保持板部１０と正対する側から見て、上突湾曲状に形成されている。
【００１３】
各塗付チップ１２の中心を通るチップ列中心線Ｐは、保持板部１０と正対する側から見て、軸体５の中心軸線と直交する直線状に形成されている。チップ列１１の下方から見て、各塗付チップ１２の中心を通るチップ列中心線Ｒは湾曲状に形成されている。
【発明の効果】
【００１４】
本発明に係る液状体塗付具では、塗付体３を軸体５と、液状体を保持する液保持体６を一体に備えたプラスチック成形品で形成した。また、液保持体６は扁平な保持板部１０と、保持板部１０の下端に突設される複数の塗付チップ１２と、隣接する塗付チップ１２の間に形成される液保持用のスリット１３を備えるようにした。液状体を塗付する場合には、保持板部１０に液状体を付着させ、隣接する塗付チップ１２の間のスリット１３に適量の液状体を保持した状態で、塗付チップ１２を塗付対象にあてがって面状に伸ばしながら塗付する。こうした液状体塗付具によれば、塗付チップ１２に塗付対象の押付け反力が作用したとしても、塗付チップ１２の塗り幅が変化することはないので、複数の塗付チップ１２の左右幅寸法に応じた一定の幅で、液状体を塗付対象に塗付することができる。また、塗付幅の変化に伴って生じていた、液状体の濃淡や筋の発生などの塗付むらをよく防止できる。さらに、左右両端に位置する塗付チップ１２の隅部で、液状体を塗付対象の細部に手早く的確に塗伸ばすことができ、全体として液状体を使用者の意図通りに的確に塗付することができる。
【００１５】
各塗付チップ１２は前後方向のスリット１３を介して隣接配置してチップ列１１を形成するようにした。また、塗付チップ１２は、保持板部１０の前外方および後外方へ突出する外形形状に形成されて、前記スリット１３の基端部を保持板部１０の下縁に臨むようにした。こうした液状体塗付具によれば、保持板部１０に付着した液状体を、保持板部１０の下縁からスリット１３の内部へ的確に流動案内して、スリット１３に保持させることができる。また、液状体をスリット１３に保持させたのち、塗付対象に塗り伸ばしながら面状に塗付するので、保持板部１０に付着した液状体を一定量ずつ均等に塗付することができ、液状体の濃淡や筋の発生などの塗付むらをさらに効果的に防止できる。因みに、液状体をへら状の保持板部１０で直接塗付する場合には、塗付を開始した直後は大量の液状体が塗付対象に塗付されるが、次第に塗付量が減少する傾向があり、液状体を均等に塗付することはできない。
【００１６】
各塗付チップ１２の外形を同形にして、各塗付チップ１２の前端及び後端を同一平面上に位置させるようにした。こうした液状体塗付具によれば、各塗付チップ１２が塗付対象に同時に接触した状態で、スリット１３に保持されている液状体を、塗付対象に均等に塗付できる。従って、塗付作業に不慣れなユーザーであっても、液状体を塗付対象に的確に塗付できる。なお、各塗付チップ１２の外形が異なり、各塗付チップ１２の前端及び後端が同一平面上に位置していない場合には、塗付チップ１２を塗付対象に同時に接触させることができないので、液状体を塗付対象に均等に塗付することが困難となる。
【００１７】
液保持体６は、軸体５の側から塗付チップ１２の側へ向かって下拡がり状に形成した。そのうえで、保持板部１０と軸体５の間に、他の部位に比べて幅狭の弾性変形部１４を形成するようにした。こうした液状体塗付具によれば、チップ列１１が塗付対象の表面に押付けられるとき、押圧力が一定以上になると弾性変形部１４が弾性変形して、チップ列１１に過大な塗付反力が作用するのを解消できる。従って、チップ列１１が必要以上に塗付対象に強く押付けられるのを防止して、液状体を塗付対象に対してソフトなタッチで優しく塗付できる。とくに、塗付対象が顔肌や唇である場合には、強い押圧刺激が顔肌や唇に作用するのを防止しながら液状体を滑らかに塗付できる。
【００１８】
液保持体６の保持板部１０の前後厚みは、塗付チップ１２の側から軸体５の側へ向かって徐々に薄く形成するようにした。こうした液状体塗付具によれば、弾性変形部１４の変形応力をさらに小さくできるので、液状体を塗付対象に対してさらにソフトなタッチで優しく塗付できる。
【００１９】
左右両端の塗付チップ１２の外側縁を、保持板部１０の傾斜する左右側縁に連続させて、左右両端の塗付チップ１２の先端隅部に鋭角の仕上げ塗付部１５を設けるようにした。こうした液状体塗付具によれば、例えばマニキュア液（液状体）を爪の表面に塗付するような場合に、鋭角の仕上げ塗付部１５でマニキュア液を少しずつ塗り伸ばして仕上げることができるので、爪の周縁などの細部への塗付仕上げを手早く的確に行える。
【００２０】
各塗付チップ１２の中心を通るチップ列中心線Ｐを上突湾曲状に形成するようにした。こうした液状体塗付具によれば、湾曲する爪の表面や唇など、塗付対象が湾曲している場合であっても、液状体を湾曲形状に沿って面状にしかも均一に塗付することができるので、液状体の塗付を手早く行うことができる。
【００２１】
各塗付チップ１２の中心を通るチップ列中心線Ｐを、軸体５の中心軸線Ｑと直交する直線状に形成し、チップ列１１を下方から見るとき、各塗付チップ１２の中心を通るチップ列中心線Ｒを湾曲状に形成するようにした。こうした液状体塗付具によれば、チップ列中心線Ｐが上突湾曲状に形成してある液状体塗付具と同様に、湾曲する爪の表面や唇など、塗付対象が湾曲している場合であっても、液状体を湾曲形状に沿って面状にしかも均一に塗付することができるので、液状体の塗付を手早く行うことができる。
【図面の簡単な説明】
【００２２】
【図１】本発明の実施例１に係る液状体塗付具の液保持体の正面図である。
【図２】容器本体およびキャップを破断した液状体塗付具の正面図である。
【図３】図１におけるＡ−Ａ線断面図である。
【図４】本発明の実施例２に係る液状体塗付具のチップ列を示す正面図である。
【図５】本発明の実施例３に係る液状体塗付具のチップ列を示す正面図である。
【図６】本発明の実施例４に係る液状体塗付具のチップ列を示す正面図である。
【図７】本発明の実施例５に係る液状体塗付具のチップ列を示しており、図７（ａ）は正面図、図７（ｂ）は底面図である。
【図８】図８（ａ）から図８（ｃ）は、塗付チップの変形例を示す縦断側面図である。
【発明を実施するための形態】
【００２３】
（実施例１）
図１ないし図３に本発明に係る液状体塗付具を化粧料塗付具に適用した実施例１を示す。本発明における前後、左右、上下とは、図１、図３に示す交差矢印と、矢印の近傍の前後、左右、上下の表記に従うこととする。図２において、符号１はマニキュア液（液状体）を収容するガラスびん製の容器本体、２は容器本体１の口部１ａにねじ込み装着されるキャップであり、このキャップ２でマニキュア液を塗付するための塗付体３が支持されている。塗付体３は、キャップ２の装着穴２ａに内嵌固定される連結頭部４と、連結頭部４の下部から連出されて容器本体１に収容される軸体５と、軸体５の下端に設けた液保持体６を一体に形成したプラスチック成形品からなる。塗付体３の形成素材としては、マニキュア液が溶剤を含んでいる場合には、ポリアミド樹脂やポリエチレンが好ましく、マニキュア液が溶剤を含んでいない場合には、エラストマーやポリプロピレン、またはアイオノマーやポリカーボネイトが好ましい。
【００２４】
液保持体６は、軸体５の下端に連続するへら状の扁平な保持板部１０と、保持板部１０の下端に形成されるチップ列１１とで櫛状に形成されている。チップ列１１は、５個の塗付チップ１２と、隣接する塗付チップ１２の間に形成される液保持用の４個のスリット１３とで構成されている。各スリット１３は保持板部１０と交差する前後方向のスリットとして形成されており、各スリット１３の左右幅は同じに設定されている。図３に示すように、各塗付チップ１２は側面視において優弧円状に形成されており、優弧円の直径は保持板部１０の前後厚みより大きく設定され、優弧円の円弧中心は保持板部１０の厚み中心の延長上に位置している。また、各塗付チップ１２の前端および後端は、図３に示すように同一平面上に位置している。
【００２５】
図１に示すように、保持板部１０は保持板部１０と正対する側から見て、軸体５の側から塗付チップ１２の側へ向かって下拡がり状に形成されており、図３に示すように、保持板部１０の前後厚みは、塗付チップ１２の側から軸体５の側へ向かって徐々に薄く形成されている。保持板部１０と軸体５の間には、他の部位に比べて幅狭で断面積の小さな弾性変形部１４が設けられている。弾性変形部１４が弾性変形することで、塗付チップ１２に大きな塗付反力が作用するのを解消できる。
【００２６】
爪の表面は、爪の先端側から見て外突湾曲状になっている。こうした爪表面の湾曲形状に沿ってマニキュア液を面状にしかも均一に塗付するために、保持板部１０と正対する側から見て、各塗付チップ１２の中心を通るチップ列中心線Ｐを上突円弧状（上突湾曲状）に形成している。チップ列中心線Ｐの円弧中心を通る垂線は、軸体５の中心軸線Ｑより図１に向って右側へずらせている。各塗付チップ１２の基端を結ぶ形状、および先端を結ぶ形状は、チップ列中心線Ｐと同心の円弧状になっている。爪の周縁などの細部に対してマニキュア液を的確に塗付するために、左右両端の塗付チップ１２の外側縁を保持板部１０の傾斜する左右側縁に連続させて、左右両端の塗付チップ１２の先端隅部に鋭角の仕上げ塗付部１５を設けている。
【００２７】
以上のように構成した実施例１の化粧料塗付具によれば、塗付チップ１２に爪の押付け反力が作用したとしても、塗付チップ１２の塗り幅が変化することはないので、複数の塗付チップ１２の左右幅寸法に応じた一定の幅で、マニキュア液を爪の表面に適切に塗付することができる。また、塗付幅の変化に伴って生じていた、マニキュア液の濃淡や筋の発生などの塗付むらをよく防止できる。さらに、左右両端に位置する塗付チップ１２の隅部で、マニキュア液を爪の細部にまで手早く的確に塗伸ばすことができるので、全体としてマニキュア液をユーザーの意図通りに的確に塗付することができる。
【００２８】
各塗付チップ１２は前後方向のスリット１３を介して隣接配置してチップ列１１を形成し、また、塗付チップ１２は、保持板部１０の前外方および後外方へ突出する外形形状に形成して、前記スリット１３の基端部を保持板部１０の下縁に臨むようにしたので、保持板部１０に付着したマニキュア液を、保持板部１０の下縁からスリット１３の内部へ的確に流動案内して、スリット１３に保持させることができる。また、マニキュア液をスリット１３に保持させたのち、爪の表面に塗り伸ばしながら面状に塗付することができるので、保持板部１０に付着したマニキュア液を一定量ずつ均等に塗付することができ、マニキュア液の濃淡や筋の発生などの塗付むらをさらに効果的に防止できる。因みに、マニキュア液をへら状の保持板部１０で直接塗付する場合には、塗付を開始した直後は大量のマニキュア液が爪の表面に塗付されるが、次第に塗付量が減少する傾向があり、マニキュア液を均等に塗付することはできない。
【００２９】
各塗付チップ１２の外形を同形にして、各塗付チップ１２の前端及び後端を同一平面上に位置させるようにしたので、各塗付チップ１２が爪の表面に同時に接触した状態で、スリット１３に保持されているマニキュア液を爪の表面に均等に塗付できる。従って、塗付作業に不慣れなユーザーであっても、マニキュア液を爪の表面に的確に塗付できる。なお、各塗付チップ１２の外形が異なり、あるいは各塗付チップ１２の前端及び後端が同一平面上に位置していない場合には、塗付チップ１２を爪の表面に同時に接触させることができないので、マニキュア液を爪の表面に均等に塗付することが困難となる。
【００３０】
液保持体６を、軸体５の側から塗付チップ１２の側へ向かって下拡がり状に形成し、さらに保持板部１０と軸体５の間に、他の部位に比べて幅狭の弾性変形部１４を形成したので、チップ列１１が爪の表面に押付けられるとき、押圧力が一定以上になると弾性変形部１４が弾性変形して、チップ列１１に過大な塗付反力が作用することを解消できる。従って、チップ列１１が必要以上に爪の表面に強く押付けられるのを防止して、マニキュア液を爪の表面に対してソフトなタッチで優しく塗付できる。
【００３１】
液保持体６の保持板部１０の前後厚みを、塗付チップ１２の側から軸体５の側へ向かって徐々に薄く形成するようにしたので、弾性変形部１４の変形応力をさらに小さくできる。従って、マニキュア液を爪の表面に対してさらにソフトなタッチで優しく塗付できる。
【００３２】
左右両端の塗付チップ１２の外側縁を、保持板部１０の傾斜する左右側縁に連続させて、左右両端の塗付チップ１２の先端隅部に鋭角の仕上げ塗付部１５を設けるようにしたので、マニキュア液を爪の表面に塗付する場合に、鋭角の仕上げ塗付部１５でマニキュア液を少しずつ塗り伸ばして仕上げることができ、爪の周縁などの細部への塗付仕上げを手早く的確に行うことができる。
【００３３】
各塗付チップ１２の中心を通るチップ列中心線Ｐを上突湾曲状に形成したので、マニキュア液を爪の湾曲形状に沿って面状にしかも均一に塗付することができ、マニキュア液の塗付を手早く行うことができる。
【００３４】
（実施例２）
図４に、本発明に係る化粧料塗付具（液状体塗付具）の実施例２を示す。実施例２の化粧料塗付具では、各塗付チップ１２の中心を通るチップ列中心線Ｐを下突円弧状（下突湾曲状）に形成した。また、チップ列中心線Ｐの円弧中心を通る垂線は、軸体５の中心軸線Ｑより図４に向って左側へずらせた。他は実施例１と同じであるので、同じ部材に同じ符号を付してその説明を省略する。以下の実施例においても同じとする。
【００３５】
上述のように、チップ列中心線Ｐを下突円弧状に形成することによっても、実施例１の化粧料塗付具と同様に、複数の塗付チップ１２の左右幅寸法に応じた一定の幅で、マニキュア液を爪の表面に塗付することができる。また、下突円弧状のチップ列１１の下端を、爪半月側の爪の周縁にあてがった状態でマニキュア液を爪の表面に塗付することにより、マニキュア液の塗付をより速やかに行うことができる。
【００３６】
（実施例３）
図５に、本発明に係る化粧料塗付具（液状体塗付具）の実施例３を示す。実施例３の化粧料塗付具では、各塗付チップ１２の中心を通るチップ列中心線Ｐを、中心軸線Ｑと斜めに交差する直線状に形成した。これによっても、実施例１の化粧料塗付具と同様に、複数の塗付チップ１２の左右幅寸法に応じた一定の幅で、マニキュア液を爪の表面に塗付することができる。また、各塗付チップ１２の下端を結ぶ線が左端側の塗付チップ１２へ向かって下り傾斜する直線状となるので、左端側の塗付チップ１２の仕上げ塗付部１５で細部の仕上げ塗付を行うときに、他の塗付チップ１２が仕上げ塗布の邪魔になることを防止できる。
【００３７】
（実施例４）
図６に、本発明に係る化粧料塗付具（液状体塗付具）の実施例４を示す。実施例４の化粧料塗付具では、各塗付チップ１２の中心を通るチップ列中心線Ｐを、実施例１のチップ列中心線Ｐと同様に上突湾曲状に形成し、さらに、チップ列中心線Ｐの円弧中心を通る垂線を軸体５の中心軸線Ｑ上に設けて、チップ列１１を左右対称に形成した。これによっても、実施例１の化粧料塗付具と同様に、複数の塗付チップ１２の左右幅寸法に応じた一定の幅で、マニキュア液を爪の表面に塗付することができる。また、チップ列１１が左右対称に形成したので、各塗付チップ１２によるマニキュア液の塗付を、前面と後面の違いや、左半部と右半部の違い、あるいは化粧料塗付具を使用するときの左右の腕の違いや、利き腕の違いとは無関係に円滑に行うことができる。
【００３８】
（実施例５）
図７（ａ・ｂ）に、本発明に係る化粧料塗付具（液状体塗付具）の実施例５を示す。実施例５の化粧料塗付具では、各塗付チップ１２の中心を通るチップ列中心線Ｐを、軸体５の中心軸線Ｑと直交する直線状に形成し、チップ列１１を下方から見るとき、各塗付チップ１２の中心を通るチップ列中心線Ｒを湾曲状に形成した。これによっても、チップ列中心線Ｐが上突湾曲状に形成した化粧料塗付具と同様に、マニキュア液を爪の湾曲形状に沿って面状にしかも均一に塗付することができるので、マニキュア液の塗付を手早く的確に行うことができる。
【００３９】
（実施例６）
図８（ａ）〜（ｃ）に、塗付チップ１２の変形例を示す。図８（ａ）では、塗付チップ１２の基本形状を優弧円状に形成したうえで、その前側を垂直に切欠いて面積の大きな塗付面１６を形成した。図８（ｂ）では、塗付チップ１２を２等辺三角形状に形成して、塗付チップ１２の前後に傾斜する塗付面１６を形成した。図８（ｃ）では、塗付チップ１２を四角形状に形成して、塗付チップ１２の前後に平行な垂直の塗付面１６を形成した。以上のように構成した図８（ａ）〜（ｃ）の化粧料塗付具によっても、スリット１３に保持されたマニキュア液を爪の表面に塗付したのち、各塗付面１６で塗伸ばすことにより、マニキュア液を均一な厚みで塗付することができる。
【００４０】
上記の実施例では、マニキュア液を塗付する化粧料塗付具について説明したが、本発明に係る化粧料塗付具は、液状の口紅を唇に塗付する際や、液状の眉墨を顔肌に塗付する際などにも使用することができる。その場合には、弾性変形部１４が弾性変形することで、塗付チップ１２に過大な塗付反力が作用するのを解消できるので、口紅や眉墨を塗付する際に、強い押圧刺激が唇や顔肌に作用するのを防止しながら、液状の化粧料をソフトなタッチで優しく塗付できる。さらに、本発明に係る液状体塗付具は、液状絆創膏をひび、あかぎれ、傷口などに塗付する薬液塗付具として使用することができる。上記以外に、保持板部１０およびチップ列１１は軸体５の上下両端に設けてあってもよく、その場合には、片方の保持板部１０およびチップ列１１を使用するとき、他方の保持板部１０およびチップ列１１を軸体５に装着したキャップで保護するのが好ましい。
【符号の説明】
【００４１】
１  容器本体
２  キャップ
３  塗付体
５  軸体
６  液保持体
１０  保持板部
１１  チップ列
１２  塗付チップ
１３  スリット
１４  弾性変形部
１５  仕上げ塗付部
【図１】
2020182736.tif 000003
【図２】
2020182736.tif 000004
【図３】
2020182736.tif 000005
【図４】
2020182736.tif 000006
【図５】
2020182736.tif 000007
【図６】
2020182736.tif 000008
【図７】
2020182736.tif 000009
【図８】
2020182736.tif 000010